(57)【特許請求の範囲】
【請求項１】
生地外周の一部の端部がウエスト部に接続されるとともに当該端部とは異なる一部の端部が足口の一部を形成し、特定の方向における伸縮性が他の方向よりも高い前身頃片と、
生地外周の一部の端部が前記ウエスト部に接続されるとともに当該端部とは異なる一部の端部が前記足口の一部を形成し、特定の方向における伸縮性が他の方向よりも高い脇はぎ片と、
前記前身頃片における前記ウエスト部から前記足口に至る端部と、前記脇はぎ片における前記ウエスト部から前記足口に至る端部とを接続する前接続部と、
端部の一部が前記ウエスト部に接続され、特定の方向における伸縮性が他の方向よりも高く、前記前身頃片における伸縮性が高い方向および前記脇はぎ片における伸縮性が高い方向とは異なる方向において高い伸縮性を有する後身頃片と、
前記脇はぎ片における生地外周の一部の端部と前記後身頃片における生地外周の一部の端部とを接続する後接続部と
を具備し、
着用されている状態において、前記前接続部の前記足口側の一端部は、大腿部前方に位置し、
前記前身頃片における伸縮性が高い方向と前記脇はぎ片における伸縮性が高い方向との前記前接続部の前記足口側においてなす角は、着用されていない状態において、１８０度未満である
ことを特徴とする下肢用衣料。
【請求項２】
前記前身頃片における伸縮性が高い方向は、前記前身頃片における足口を形成する端部に沿った方向であり、
前記脇はぎ片における伸縮性が高い方向は、前記脇はぎ片における足口を形成する端部に沿った方向である
ことを特徴とする請求項１に記載の下肢用衣料。
【請求項３】
前記前身頃片における伸縮性が高い方向と前記脇はぎ片における伸縮性が高い方向との前記接続部の前記足口側においてなす角は、着用されていない状態において、９０度以上１５０度未満である
ことを特徴とする請求項１または請求項２に記載の下肢用衣料。
【請求項４】
前記前身頃片および前記脇はぎ片は、生地端により足口を形成する
ことを特徴とする請求項１乃至請求項３のいずれかに記載の下肢用衣料。
【請求項５】
前記前身頃片における足口の前記一端部とは異なる他端部と、前記脇はぎ片における足口の前記一端部とは異なる他端部とは、互いに接続され、
前記前身頃片における伸縮性が高い方向と前記脇はぎ片における伸縮性が高い方向との前記一端部においてなす角は、前記他端部においてなす角よりも小さい
ことを特徴とする請求項１乃至請求項４のいずれかに記載の下肢用衣料。
【請求項６】
前記後身頃片は、体の後側中心線に対して略直交方向における伸縮性が他の方向よりも高く、
前記後接続部は、前記脇はぎ片における伸縮性が高い方向と前記後身頃片における伸縮性が高い方向とが異なる方向になるように、当該脇はぎ片の端部の一部と当該後身頃片の端部の一部とを接続する
ことを特徴とする請求項１乃至請求項５のいずれかに記載の下肢用衣料。
【請求項７】
前記後身頃片は、直交する第１の方向および第２の方向に伸縮し、
前記後接続部は、前記第１の方向が体の後側中心線に対して略直交方向または当該中心線に対して４５度傾くように、前記脇はぎ片の端部の一部と当該後身頃片の端部の一部と
を接続する
ことを特徴とする請求項１乃至請求項５のいずれかに記載の下肢用衣料。
【請求項８】
前記後接続部の少なくとも一部は、着用されている状態において臀溝に沿うように形成される
ことを特徴とする請求項１乃至請求項７のいずれかに記載の下肢用衣料。
【発明の詳細な説明】
【技術分野】
【０００１】
本発明は、大腿部を動かしたときの大腿部への負荷が少ない下着、スポーツウエアなどの下肢用衣料に関する。
【背景技術】
【０００２】
一般的な下肢用衣類のうち大腿部の一部を覆っているものは、歩行、膝を曲げた前屈など、直立した状態から大腿部を上半身側に近づけるような動作（以下、単に大腿部を持ち上げる動作という）が行われることにより、体前方側に位置する前身頃は圧縮され、体後方側に位置する後身頃は伸張されることになる。そのため、後身頃のウエスト部分がずり下がるなど、下肢用衣類を着用したときと状態が変化してしまい、着用者に違和感を与えることがあった。
このような着用状態のずれを抑える技術として、例えば、特許文献１、２には、一方向に伸縮性を有する生地を、伸縮方向が異なるように組み合わせることが開示されている。
【先行技術文献】
【特許文献】
【０００３】
【特許文献１】特開平１１−１０７００１号公報
【特許文献２】特開平７−１３８８０１号公報
【発明の概要】
【発明が解決しようとする課題】
【０００４】
大腿部を持ち上げる動作をしたときに下肢用衣類の着用状態が変わってしまう部分としては他にもあり、図７に示すように、足口のうち大腿部前方（大腿部が持ち上がる方向）の生地がずり上がるという変化も生じる。
【０００５】
図７は、従来の下肢用衣類であるパンツ２において、足口における生地がずり上がる様子を説明する図である。図７（ａ）は、下肢用衣類であるパンツ２を着用して直立状態であるときの体の右側方向から見た図である。図７（ｂ）は、図７（ａ）の状態から、左大腿部１０００Ｌを持ち上げる動作（ＡＲ２方向への動き）をした後の状態を、体の右側方向から見た図である。体の右側とは、体正面方向を向いて右側（右手、右足がある側）のことをいう。以下、体の左側とは体正面方向を向いて左側、体の前側とは体正面方向の側（腹側）、体の後側とは体正面方向とは逆側（背側）をいう。
【０００６】
図７（ａ）に示すように、パンツ２は、これを着用した直立状態において、パンツ２の右側の足口（以下、右足口４００Ｒという）が略水平になるように形成されている。左側の足口（以下、左足口４００Ｌという）についても右足口４００Ｒと同様である。
図７（ｂ）に示すように、左大腿部１０００Ｌを持ち上げる動作をすると、筋肉の伸縮関係から左大腿部１０００Ｌの前方の皮膚が後方の皮膚に対して膝側に伸びた状態になる。左足口４００Ｌが皮膚の伸びとともに移動することにより、左足口４００Ｌ近傍の生地が伸びることになるため、その生地は収縮しようとする収縮力が生じる。また、左足口４００Ｌが形成する開口部分の面積（以下、単に左足口４０Ｌの開口面積という）が広くなり、開口面積を狭くするようにも生地の収縮力が生じる。その生地の収縮力は、左大腿部１０００ＬをＡＲ２方向に移動させることに対して負荷をかける。また、その収縮力が左足口４００Ｌを膝から離れるＡＲ３方向へ移動させる力にもなるため、生地は皮膚に対して摩擦により負荷をかける。
【０００７】
このとき、皮膚への負荷となる収縮力が皮膚と生地との摩擦力を超えた場合には、左足口４００Ｌは、ＡＲ３方向に移動して破線４０１Ｌで示す位置にずり上がることにもなる。一旦この状態になると、左大腿部１０００Ｌを下ろして図７（ａ）の状態に戻しても、左足口４００Ｌは、ずり上がった状態のままとなるか、重力により元の位置に戻ることになる。このパンツ２の着用者は、左足口４００Ｌがずり上がった状態のままであれば、左大腿部１０００Ｌに違和感を生じることになる。一方、重力により元の位置に戻ったとしても、このパンツ２の着用者は、大腿部の上げ下げをする度に、大腿部前方において足口が移動することにより皮膚と生地とが擦れあい、皮膚を傷つけることになってしまう。
【０００８】
本発明は、上述の事情に鑑みてなされたものであり、下肢用衣類において、大腿部の上げ下げに対して大腿部にかかる負荷を低減することを目的とする。
【課題を解決するための手段】
【０００９】
上述の課題を解決するため、本発明は、生地外周の一部の端部がウエスト部に接続されるとともに当該端部とは異なる一部の端部が足口の一部を形成し、特定の方向における伸縮性が他の方向よりも高い前身頃片と、生地外周の一部の端部が前記ウエスト部に接続されるとともに当該端部とは異なる一部の端部が前記足口の一部を形成し、特定の方向における伸縮性が他の方向よりも高い脇はぎ片と、前記前身頃片における前記ウエスト部から前記足口に至る端部と、前記脇はぎ片における前記ウエスト部から前記足口に至る端部とを接続する前接続部と、端部の一部が前記ウエスト部に接続され、特定の方向における伸縮性が他の方向よりも高く、前記前身頃片における伸縮性が高い方向および前記脇はぎ片における伸縮性が高い方向とは異なる方向において高い伸縮性を有する後身頃片と、前記脇はぎ片における生地外周の一部の端部と前記後身頃片における生地外周の一部の端部とを接続する後接続部とを具備し、着用されている状態において、前記前接続部の前記足口側の一端部は、大腿部前方に位置し、前記前身頃片における伸縮性が高い方向と前記脇はぎ片における伸縮性が高い方向との前記前接続部の前記足口側においてなす角は、着用されていない状態において、１８０度未満であることを特徴とする下肢用衣料を提供する。
【００１０】
また、別の好ましい態様において、前記前身頃片における伸縮性が高い方向は、前記前身頃片における足口を形成する端部に沿った方向であり、前記脇はぎ片における伸縮性が高い方向は、前記脇はぎ片における足口を形成する端部に沿った方向であることを特徴とする。
【００１１】
また、別の好ましい態様において、前記前身頃片における伸縮性が高い方向と前記脇はぎ片における伸縮性が高い方向との前記接続部の前記足口側においてなす角は、着用されていない状態において、９０度以上１５０度未満であることを特徴とする。
【００１２】
また、別の好ましい態様において、前記前身頃片および前記脇はぎ片は、生地端により足口を形成することを特徴とする。
【００１３】
また、別の好ましい態様において、前記前身頃片における足口の前記一端部とは異なる他端部と、前記脇はぎ片における足口の前記一端部とは異なる他端部とは、互いに接続され、前記前身頃片における伸縮性が高い方向と前記脇はぎ片における伸縮性が高い方向との前記一端部においてなす角は、前記他端部においてなす角よりも小さいことを特徴とする。
【００１４】
また、別の好ましい態様において、前記後身頃片は、体の後側中心線に対して略直交方向における伸縮性が他の方向よりも高く、前記後接続部は、前記脇はぎ片における伸縮性が高い方向と前記後身頃片における伸縮性が高い方向とが異なる方向になるように、当該脇はぎ片の端部の一部と当該後身頃片の端部の一部とを接続することを特徴とする。
【００１５】
また、別の好ましい態様において、前記後身頃片は、直交する第１の方向および第２の方向に伸縮し、前記後接続部は、前記第１の方向が体の後側中心線に対して略直交方向または当該中心線に対して４５度傾くように、前期脇はぎ片の端部の一部と当該後身頃片の端部の一部とを接続することを特徴とする。
【００１６】
また、別の好ましい態様において、前記後接続部の少なくとも一部は、着用されている状態において臀溝に沿うように形成されることを特徴とする。
【発明の効果】
【００１７】
本発明によれば、下肢用衣類において、大腿部の上げ下げに対して大腿部にかかる負荷を低減することができる。
【図面の簡単な説明】
【００１８】
【図１】本発明の実施形態におけるパンツの外観図である。
【図２】実施形態におけるパンツの生地パターンを示す図である。
【図３】着用者が直立した状態の実施形態におけるパンツの外観図である。
【図４】着用者が左大腿部を持ち上げた状態におけるパンツの外観図である。
【図５】変形例１におけるパンツの生地パターンを示す図である。
【図６】着用者が直立した状態の変形例１におけるパンツの外観図である。
【図７】従来の下肢用衣類であるパンツにおいて、足口における生地がずり上がる様子を説明する図である。
【発明を実施するための形態】
【００１９】
＜実施形態＞
図１は、本発明の実施形態におけるパンツ１の外観図である。本発明における下肢用衣料は、本実施形態においては、男性用のパンツ１である。下肢用衣料としては、パンツ１、トランクスなどの下半身用下着の他、例えば、水着、スパッツなどスポーツウエアなどであってもよく、大腿部の一部を覆う生地を有する衣料であればよい。また、男性用に限らず、女性用であってもよい。
【００２０】
パンツ１は、特定の方向（以下、伸縮方向という）における伸縮性が他の方向よりも高い生地を用いている。この例においては、パンツ１の生地は、伸縮性包帯生地である。伸縮性包帯生地は、経編で形成され、裁断前においては伸縮方向と生地端が形成される方向とは略平行の関係になっている。
【００２１】
パンツ１は、左前身頃片１０Ｌ、右前身頃片１０Ｒ、左脇はぎ片２０Ｌ、右脇はぎ片２０Ｒ、および後身頃片３０の各生地、ならびにウエストゴム５０を有する。各生地の伸縮方向は、矢印で示した方向である。まず、パンツ１を構成する各生地のパターン、および各パターンの接続関係について説明する。
【００２２】
[生地パターン]
図２は、実施形態におけるパンツ１の生地パターンを示す図である。図２（ａ）に示すように、パンツ１は、左前身頃片１０Ｌ、右前身頃片１０Ｒ、左脇はぎ片２０Ｌ、右脇はぎ片２０Ｒ、後身頃片３０の各生地を縫い合わせて接続することにより形成される。以下、単に接続されるという場合には、縫い合わされて接続されることを示す。
【００２３】
左前身頃片１０Ｌは、生地外周に端部１１Ｌ、１２Ｌ、１３Ｌ、１４Ｌ、１５Ｌを有する概ね５角形の形状であり、端部１４Ｌに沿った方向Ｓ１Ｌを伸縮方向としている。この例においては、端部１４Ｌは、伸縮性包帯生地の生地端になっている。端部１１Ｌは、生地外側方向に僅かに突出した曲線形状である。端部１２Ｌ、１４Ｌは、直線形状である。端部１３Ｌ、１５Ｌは、生地内側方向に僅かに湾曲した曲線形状である。
【００２４】
右前身頃片１０Ｒは、外周に端部１１Ｒ、１２Ｒ、１３Ｒ、１４Ｒ、１５Ｒを有する概ね５角形の形状であり、端部１４Ｒに沿った方向Ｓ１Ｒを伸縮方向としている。この例においては、端部１４Ｒは、伸縮性包帯生地の生地端になっている。端部１１Ｒは、生地外側方向に僅かに突出した曲線形状である。端部１２Ｒ、１４Ｒは、直線形状である。端部１３Ｒ、１５Ｒは、生地内側方向に僅かに湾曲した曲線形状である。
左前身頃片１０Ｌと右前身頃片１０Ｒとは、鏡像関係になっている。
【００２５】
左脇はぎ片２０Ｌは、生地外周に端部２１Ｌ、２２Ｌ、２３Ｌ、２４Ｌ、２５Ｌを有し、端部２４Ｌに沿った方向Ｓ２Ｌを伸縮方向としている。この例においては、端部２４Ｌは、生地端を用いている。端部２１Ｌ、２２Ｌ、２４Ｌは、直線形状である。端部２３Ｌは、生地内側方向に僅かに湾曲した曲線形状である。端部２５Ｌは、生地内側方向に大きく湾曲した曲線形状である。
【００２６】
右脇はぎ片２０Ｒは、生地外周に端部２１Ｒ、２２Ｒ、２３Ｒ、２４Ｒ、２５Ｒを有し、端部２４Ｒに沿った方向Ｓ２Ｒを伸縮方向としている。この例においては、端部２４Ｒは、生地端を用いている。端部２１Ｒ、２２Ｒ、２４Ｒは、直線形状である。端部２３Ｒは、生地内側方向に僅かに湾曲した曲線形状である。端部２５Ｒは、生地内側方向に大きく湾曲した曲線形状である。
左脇はぎ片２０Ｌと右脇はぎ片２０Ｒとは、鏡像関係になっている。
【００２７】
後身頃片３０は、生地外周に端部３１Ｌ、３１Ｒ、３２Ｌ、３２Ｒ、３５を有し、端部３５に沿った方向Ｓ３を伸縮方向としている。端部３１Ｌ、３１Ｒは、生地内側方向に僅かに湾曲した曲線形状である。端部３１Ｌと端部３１Ｒとで後身頃片３０の一部に凹部を形成している。端部３２Ｌ、３２Ｒは、生地外側方向に大きく湾曲した曲線形状である。端部３５は、直線形状である。後身頃片３０は、体の後側中心線ＢＣに対して線対称に形成され、左前身頃片１０Ｌ、右前身頃片１０Ｒ、左脇はぎ片２０Ｌ、右脇はぎ片２０Ｒの伸縮性とは異なる伸縮性を有する。
【００２８】
左前身頃片１０Ｌの端部１５Ｌ、右前身頃片１０Ｒの端部１５Ｒ、左脇はぎ片２０Ｌの端部２５Ｌ、右脇はぎ片２０Ｒの端部２５Ｒ、および後身頃片３０の端部３５は、ウエスト部となるウエストゴム５０に接続される。
【００２９】
左前身頃片１０Ｌの端部１１Ｌと右前身頃片１０Ｒの端部１１Ｒとが接続されることにより、体の前側を覆う前身頃が形成される。この接続された部分は、図３（ａ）に示す接続部６０Ｆに対応する。端部１１Ｌの曲線部分と端部１１Ｒの曲線部分とが接続されることにより、前身頃には男性の局部を覆う膨出部分が形成される。なお、女性用であれば、この膨出部分がなくてもよいため、端部１１Ｌ、１１Ｒは直線形状に形成されていてもよい。
【００３０】
左前身頃片１０Ｌの端部１２Ｌと左脇はぎ片２０Ｌの端部２１Ｌとが接続され、また、左前身頃片１０Ｌの端部１３Ｌの一部１３２Ｌと左脇はぎ片２０Ｌの端部２２Ｌとが接続される。このように接続されることにより、端部１４Ｌと端部２４Ｌとにより左足口４０Ｌが形成される。
【００３１】
図２（ｂ）に示すように、端部１２Ｌと端部２１Ｌとが縫い合わされた部分は、接続部６０ＦＬ（前接続部）という。
以下、左前身頃片１０Ｌの左足口４０Ｌに対応する端部１４Ｌと、左脇はぎ片２０Ｌの左足口４０Ｌに対応する端部２４Ｌとが接続部６０ＦＬの足口側においてなす角、すなわち、伸縮方向Ｓ１Ｌと伸縮方向Ｓ２Ｌとが接続部６０ＦＬにおいてなす角を、角度αという。左前身頃片１０Ｌおよび左脇はぎ片２０Ｌをともに伸張させない状態（パンツ１が着用されていない状態）において、角度αは、１８０度未満であり、望ましくは、９０度以上１５０度未満、さらに望ましくは、１１０度以上１３０度未満となるように、左前身頃片１０Ｌおよび左脇はぎ片２０Ｌが形成されている。
【００３２】
右前身頃片１０Ｒの端部１２Ｒと右脇はぎ片２０Ｒの端部２１Ｒとが接続され、また、右前身頃片１０Ｒの端部１３Ｒの一部１３２Ｒと右脇はぎ片２０Ｒの端部２２Ｒとが接続される。このように接続されることにより、端部１４Ｒと端部２４Ｒとにより右足口４０Ｒが形成される。
【００３３】
図２（ｃ）に示すように、端部１３Ｌの一部１３２Ｌと端部２２Ｌとが接続された部分は、接続部６０Ｂの一部を構成する。以下、左前身頃片１０Ｌの左足口４０Ｌに対応する端部１４Ｌと、左脇はぎ片２０Ｌの左足口４０Ｌに対応する端部２４Ｌとが接続部６０Ｂにおいてなす角、すなわち、伸縮方向Ｓ１Ｌと伸縮方向Ｓ２Ｌとが接続部６０Ｂにおいてなす角を、角度βという。左前身頃片１０Ｌおよび左脇はぎ片２０Ｌをともに伸張させない状態において、角度βが、角度αより大きい角度となり、例えば１５０度以上１８０度以下、望ましくは１７０度以上１８０度以下となるように、左前身頃片１０Ｌおよび左脇はぎ片２０Ｌが形成されている。
ここで、接続部６０Ｂとは、端部１３Ｌの一部１３２Ｌと端部２２Ｌとが接続された部分、端部１３Ｌの一部１３３Ｌと後身頃片３０の端部３１Ｌとが接続された部分とを合わせた部分、端部１３Ｒの一部１３２Ｒと端部２２Ｒとが接続された部分、および端部１３Ｒの一部１３３Ｒと後身頃片３０の端部３１Ｒとが接続された部分を合わせたものをいう（図３（ａ）参照）。
【００３４】
左前身頃片１０Ｌと左脇はぎ片２０Ｌとの関係について説明したが、右前身頃片１０Ｒと右脇はぎ片２０Ｒとの関係については、上述したように左前身頃片１０Ｌおよび左脇はぎ片２０Ｌと鏡像関係になっているだけであるから、説明を省略する。なお、端部１２Ｒと端部２１Ｒとが縫い合わされた部分は、接続部６０ＦＲという。
【００３５】
後身頃片３０の端部３２Ｌは、左脇はぎ片２０Ｌの端部２３Ｌと接続される。この接続された部分は、図３（ｂ）に示す接続部６０ＢＬ（後接続部）に対応する。後身頃片３０の端部３２Ｒは、右脇はぎ片２０Ｒの端部２３Ｒと接続される。この接続された部分は、図３（ｂ）に示す接続部６０ＢＲ（後接続部）に対応する。
後身頃片３０の端部３１Ｌは、左前身頃片１０Ｌの端部１３Ｌの一部１３３Ｌに接続される。後身頃片３０の端部３１Ｒは、右前身頃片１０Ｒの端部１３Ｒの一部１３３Ｒに接続される。
以上が、生地のパターンおよび各パターンの接続関係についての説明である。続いて、着用された状態におけるパンツ１の説明をする。
【００３６】
[外観]
図３は、着用者が直立した状態の実施形態におけるパンツ１の外観図である。図３（ａ）、（ｂ）、（ｃ）は、それぞれ、体の前側、後側、右側からパンツ１を見た場合の図である。
まず、図３（ａ）を用いて説明する。接続部６０ＦＬの左足口４０Ｌ側の一端部ＰＬは、左大腿部１０００Ｌの前方に位置している。接続部６０ＦＲの右足口４０Ｒ側の一端部ＰＲは、右大腿部１０００Ｒの前方に位置している。体左側の鼠径部ＧＬ、体右側の鼠径部ＧＲは、それぞれ、左大腿部１０００Ｌ、右大腿部１０００Ｒの付け根部分である。左足口４０Ｌ、右足口４０Ｒは、それぞれ、鼠径部ＧＬ、ＧＲより膝側、すなわち左大腿部１０００Ｌ、右大腿部１０００Ｒに位置する。
【００３７】
左足口４０Ｌのうち接続部６０ＦＬの部分（一端部ＰＬ）は、他の部分に比べてウエストゴム５０に近く、膝側から離れた位置となる。右足口４０Ｒのうち接続部６０ＦＲの部分（一端部ＰＲ）は、他の部分に比べてウエストゴム５０に近く、膝側から離れた位置となる。
左足口４０Ｌのうち接続部６０ＢＬの部分は、左大腿部１０００Ｌにおける右大腿部１０００Ｒの側に位置する。右足口４０Ｒのうち接続部６０ＢＲの部分は、右大腿部１０００Ｒにおける左大腿部１０００Ｌの側に位置する。
【００３８】
角度αは、着用されていない状態の大きさに比べて、着用された状態の大きさの方が大きくなっている。これは、着用された状態になることにより、生地が伸張された状態となるためである。ただし、この状態に合っても、着用者が直立状態である場合には、角度αが１８０度に達することはない。そのため、左前身頃片１０Ｌの伸縮方向Ｓ１Ｌと左脇はぎ片２０Ｌとの伸縮方向Ｓ２Ｌとの関係は、着用されていない状態とは、なす角αの大きさは変化するものの、１８０度未満であるという関係は変わっていない。右前身頃片１０Ｒの伸縮方向Ｓ１Ｒと右脇はぎ片２０Ｒとの伸縮方向Ｓ２Ｒとの関係についても、同様の関係である。角度βについても、着用されていない状態の大きさに比べて、着用された状態の大きさの方が大きくなり、１８０度に近づく。
【００３９】
続いて、図３（ｂ）を用いて説明する。後身頃片３０の体の後側中心線ＢＣにおけるウエストゴム５０側の一部には、ダーツ縫いがなされたダーツ縫い部７０が形成されている。なお、このダーツ縫い部７０はなくてもよい。
体左側の臀溝ＨＬ、体右側の臀溝ＨＲは、それぞれ、臀部と左大腿部１０００Ｌとの境界、臀部と右大腿部１０００Ｒとの境界である。接続部６０ＢＬ、６０ＢＲは、それぞれ、臀溝ＨＬ、臀溝ＨＲに概ね沿った部分を有する。そのため、後身頃片３０は、臀部の大部分を覆う。また、体後側において、左脇はぎ片２０Ｌ、右脇はぎ片２０Ｒが覆う大部分は、それぞれ、左大腿部１０００Ｌ、右大腿部１０００Ｒとなる。
また、後身頃片３０における伸縮方向Ｓ３は、左脇はぎ片２０Ｌおよび右脇はぎ片２０Ｒにおける伸縮方向Ｓ２Ｌ、Ｓ２Ｒとは異なる方向になっている。
【００４０】
続いて、図３（ｃ）を用いて説明する。右足口４０Ｒに対応する右脇はぎ部２０Ｒの端部２４Ｒは、右大腿部１０００Ｒの後側より前側が、より上部に位置するようになっている。右足口４０Ｒに対応する前身頃片１０Ｒの端部１４Ｒについても端部２４Ｒと同様に右大腿部１０００Ｒの後側より前側が、より上部（ウエストゴム５０側）に位置する（不図示）。この結果、右足口４０Ｒの開口面積は、パンツ１に覆われた部分の右大腿部１０００Ｒにおける断面のうち最小の断面積より大きくなる。左足口４０Ｌについても右足口４０Ｒと同様である。
以上が、着用者が直立した状態における説明である。続いて、着用者が左大腿部１０００Ｌを持ち上げた状態におけるパンツ１の外観の変化について説明する。
【００４１】
[外観変化]
図４は、着用者が左大腿部１０００Ｌを持ち上げた状態におけるパンツの外観図である。着用者が左大腿部１０００ＬをＡＲ１方向に持ち上げ、左大腿部１０００Ｌの前方が上方を向くように移動させると、筋肉の伸縮関係から左大腿部１０００Ｌの前方の皮膚が後方の皮膚に対して膝側に伸びた状態になる。このような状態になると、左足口４０Ｌの端部１４Ｌ、２４Ｌは、左大腿部１０００Ｌの前方が後方に比べて左膝１０００ＬＫの側に移動するため、角度αが、着用者が直立した状態（図３）における角度よりも大きくなる。
【００４２】
角度αが１８０度に近づいていくと、左前身頃片１０Ｌの伸縮方向Ｓ１Ｌと左脇はぎ片２０Ｌの伸縮方向Ｓ２Ｌとは、平行の関係に近づいていく。角度αが１８０度以下を維持している状態においては、伸縮方向Ｓ１Ｌ、Ｓ２Ｌの関係からもわかるように、一端部ＰＬがずり上がる方向への負荷がかかりにくい。また、角度αが１８０度を超えた場合であっても、図７に示す従来の場合に比べて、左足口４０Ｌにおいて左大腿部１０００Ｌの後方に対する前方の部分の位置が左膝１０００ＬＫの側へ移動していない状態となることから、一端部ＰＬがずり上がる方向への負荷がかかりにくい。
【００４３】
また、パンツ１に覆われた部分の左大腿部１０００Ｌにおける断面のうち最小の断面積に対する左足口４０Ｌの開口面積の比率は、着用者が直立した状態よりも、左大腿部１０００Ｌを持ち上げた状態の方が小さくなる。このことによっても、左足口４０Ｌにおける接続部６０ＦＬの部分がずり上がる方向への負荷がかかりにくくなる。
したがって、左大腿部１０００Ｌの上げ下げに対して、左大腿部１０００Ｌにかかる負荷を低減することができる。
【００４４】
また、後身頃片３０の伸縮方向Ｓ３が、左脇はぎ片２０Ｌの伸縮方向Ｓ２Ｌと異なる方向であり、左大腿部１０００Ｌの上げ下げによって伸縮する左脇はぎ片２０Ｌの影響を受けにため、臀部に対する負荷を少なくすることができる。ここで、伸縮方向Ｓ３が概ね水平方向（ウエストゴム５０と平行方向）にすることにより、左大腿部１０００Ｌを持ち上げたときに、後身頃片３０が臀裂部分へ食い込みにくくすることもできる。
また、後身頃片３０は、左大腿部１０００Ｌをほとんど覆わないようにすることにより、左大腿部１０００Ｌの上げ下げによる影響を受けにくくすることもできる。
以上、左大腿部１０００Ｌの上げ下げについて説明したが、右大腿部１０００Ｒにおいても同様のことがいえる。
【００４５】
＜変形例＞
以上、本発明の実施形態およびその実施例について説明したが、本発明は以下のように、さまざまな態様で実施可能である。
[変形例１]
上述した実施形態において、パンツ１は、後身頃片３０と、左前身頃片１０Ｌおよび右前身頃片１０Ｒとは、接続部６０Ｂにおいて直接接続されていたが、必ずしも直接接続されていなくてもよい。この場合の生地のパターンを外観構成について、図５、図６を用いて説明する。
【００４６】
図５は、変形例１におけるパンツ１Ａの生地パターンを示す図である。図６は、着用者が直立した状態の変形例１におけるパンツ１Ａの外観図である。図６（ａ）、（ｂ）は、それぞれ、体の前側、後側からパンツ１Ａを見た場合の図であり、図３（ａ）、（ｂ）と対応している。
左脇はぎ片２０ＡＬ、右脇はぎ片２０ＡＲ、後身頃片３０Ａは、実施形態における左脇はぎ片２０Ｌ、右脇はぎ片２０Ｒ、後身頃片３０とは、一部形状が異なっている。また、股部片８０が新たに加わっている。左前身頃片１０Ｌの形状と右前身頃片１０Ｒは、実施形態における形状と同じである。
【００４７】
股部片８０は、概ね長方形であり、２つの長辺の端部８１、８２が同じ方向に僅かに湾曲している。股部片８０は、股部片８０の短辺である端部８４Ｌ、８４Ｒに沿った方向が伸縮方向Ｓ４である。なお、伸縮方向Ｓ４は、端部８１、８２に沿った方向であってもよい。その場合には、後身頃片３０Ａの伸縮方向Ｓ３と同じ方向であるから、後身頃片３０と股部片８０とが分離せず、１枚生地として形成されていてもよい。
【００４８】
股部片８０の端部８４Ｌ、８４Ｒは、それぞれ、左足口４０ＡＬ、右足口４０ＡＲの一部を形成する。すなわち、実施形態における場合と異なり、左足口４０ＡＬは、端部１４Ｌ、２４ＡＬ、８４Ｌにより形成され、右足口４０ＡＲは、端部１４Ｒ、２４ＡＲ、８４Ｒにより形成される。
左脇はぎ片２０ＡＬは、実施形態における左脇はぎ片２０Ｌに比べ、端部２３ＡＬ、２４ＡＬが短く、端部２２ＡＬが長くなっている。右脇はぎ片２０ＡＲは、実施形態における左脇はぎ片２０Ｒに比べ、端部２３ＡＲ、２４ＡＲが短く、端部２２ＡＲが長くなっている。後身頃片３０Ａは、端部３２ＡＬ、３２ＡＲが短く、端部３１ＡＬ、３１ＡＲが長くなっている。
【００４９】
股部片８０の端部８１の一部８１Ｌは、左前身頃片１０Ｌの端部１３Ｌと接続され、股部片８０の端部８１の一部８１Ｒは、右前身頃片１０Ｒの端部１３Ｒと接続される。これらの接続された部分は、接続部６０ＦＢという（図６（ａ）参照）。
股部片８０の端部８２の一部８２Ｌは、左脇はぎ片２０ＡＬの端部２２ＡＬと接続され、端部８２の一部８２Ｒは、右脇はぎ片２０ＡＲの端部２２ＡＲと接続され、端部８２の一部８３Ｌは、後身頃片３０Ａの端部３１ＡＬと接続され、端部８２の一部８３Ｒは、後身頃片３０Ａの端部３１ＡＲと接続される。これらの接続された部分は、接続部６０ＢＢという（図６（ｂ）参照）。
【００５０】
このように、実施形態におけるパンツ１に股部片８０が加わったパンツ１Ａとしても、伸縮方向Ｓ１Ｌ、Ｓ１Ｒと、伸縮方向Ｓ２Ｌ、Ｓ２Ｒとの関係が実施形態における関係と同じであるから、実施形態と同様な効果を奏する。
【００５１】
[変形例２]
上述した実施形態において、左前身頃片１０Ｌ、右前身頃片１０Ｒ、左脇はぎ片２０Ｌ、右脇はぎ片２０Ｒ、後身頃片３０は、それぞれ１枚生地であるものとして説明したが、複数枚の生地を接続して形成されたものであってもよい。
また、端部１５Ｌ、１５Ｒ、２５Ｌ、２５Ｒ、３５は、ウエストゴム５０と直接接続されていなくてもよく、これらの間に他の生地が入っていてもよい。この場合には、他の生地およびウエストゴム５０を含めてウエスト部となる。このように、ウエスト部とは、左前身頃片１０Ｌ、右前身頃片１０Ｒ、左脇はぎ片２０Ｌ、右脇はぎ片２０Ｒ、および後身頃片３０の各生地よりも体上部側に位置する部材を総称したものである。
【００５２】
[変形例３]
上述した実施形態においては、後身頃片３０の伸縮方向Ｓ３は、端部３５に沿った方向になっていたが、体の後側中心線ＢＣに沿った方向であってもよい。また、一方向に大きく伸縮する伸縮性包帯生地を用いるのではなく、二方向に大きく伸縮する伸縮性生地を用いてもよい。この場合は、２つの伸縮方向が体の後側中心線ＢＣに対して対称になっていることが望ましい。
【符号の説明】
【００５３】
１，１Ａ…パンツ、２…従来のパンツ、１０Ｌ…左前身頃片、１０Ｒ…右前身頃片、２０Ｌ，２０ＡＬ…左脇はぎ片、２０Ｒ，２０ＡＲ…右脇はぎ片、３０，３０Ａ…後身頃片、４０Ｌ，４００Ｌ…左足口、４０Ｒ，４００Ｒ…右足口、５０…ウエストゴム、６０ＦＬ，６０ＦＲ，６０ＦＢ，６０ＢＬ，６０ＢＲ，６０Ｂ，６０ＢＢ，６０Ｆ…接続部、７０…ダーツ縫い部、８０…、股部片、１０００Ｌ…左大腿部、１０００Ｒ…右大腿部、１０００ＬＫ…左膝
【図１】
0005632990.tif 000002
【図２】
0005632990.tif 000003
【図３】
0005632990.tif 000004
【図４】
0005632990.tif 000005
【図５】
0005632990.tif 000006
【図６】
0005632990.tif 000007
【図７】
0005632990.tif 000008